(57)【要約】    【課題】  複数の異なる画像取得手段から取得した画像の時間関係を容易に把握できる画像記録装置を提供する。    【解決手段】  記録管理画面には、時間帯３１に沿って、デジタルカメラ１３で撮影された画像の一覧が表示されるメディアタイムバー３２、ビデオカメラ１４で撮影された画像の一覧が表示されるメディアタイムバー３３、チャンネル毎にＴＶ放送番組が表示されるメディアタイムバー３４、３５、ユーザのスケジュール情報が表示されるメディアタイムバー３６、および通話／通信記録が表示されるメディアタイムバー３７が並列に表示される。メディアタイムバー３２に、デジタルカメラ１３で撮影された画像３９、４０の縮小画像を表示する際、ＣＰＵ１は、ＨＤ６に保存されている画像データからタイムスタンプを読み出し、時間帯３１の対応した位置に縮小画像を表示する。【選択図】      図２
2005176134.tif 000002
【特許請求の範囲】
【請求項１】
複数の異なる画像取得手段から取得した画像をそれぞれ記録する画像記録手段と、
画面上に、時刻が刻まれた時間帯を表示する時間帯表示手段と、
前記取得した画像に関わる時刻を前記表示された時間帯の時刻に揃えるように、前記記録された画像の情報を前記画像取得手段毎に前記画面上に表示する記録画像表示手段とを備えた画像記録装置。
【請求項２】
前記複数の異なる画像取得手段は、前記画像記録装置に接続されたデジタルカメラ、ビデオカメラ、および複数のチャンネルを受信するテレビ受信装置を含むことを特徴とする請求項１記載の画像記録装置。
【請求項３】
前記時間帯表示手段は、
時刻を計時する計時手段を備え、前記計時された時刻を基に、前記画面上に表示される時間帯を更新し、
前記画像記録手段は、
放送された番組を録画する番組録画手段と、
時刻情報が付加された画像を入力する画像入力手段とを備え、
前記記録画像表示手段は、
前記放送された時刻を前記表示された時間帯の時刻に揃えるように、前記録画した番組の情報を前記画面上に表示する録画番組表示手段と、
前記付加された時刻情報を前記表示された時間帯の時刻に揃えるように、前記入力された画像の情報を前記画面上に表示する入力画像表示手段とを備えたことを特徴とする請求項１記載の画像記録装置。
【請求項４】
スケジュール情報を入力するスケジュール情報入力手段と、
前記スケジュール情報に含まれる時刻を前記表示された時間帯の時刻に揃えるように、前記スケジュール情報を前記画面上に表示するスケジュール表示手段とを備えたことを特徴とする請求項１乃至３いずれか記載の画像記録装置。
【請求項５】
外部装置が接続される接続手段を備え、
前記スケジュール情報入力手段は、前記接続された外部装置から転送される前記スケジュール情報を入力することを特徴とする請求項４記載の画像記録装置。
【請求項６】
通話を行う通話手段と、
前記通話が行われた通話記録を保持する通話記録保持手段とを備え、
前記記録画像表示手段は、
前記通話時刻を前記表示された時間帯の時刻に揃えるように、前記通話記録を前記画面上に表示する通話記録表示手段を備えたことを特徴とする請求項４記載の画像記録装置。
【請求項７】
メールの送受信を行うメール送受信手段と、
前記メールの送受信記録を保持する送受信記録保持手段とを備え、
前記記録画像表示手段は、
前記メールの送受信時刻を前記表示された時間帯の時刻に揃えるように、前記送受信記録を前記画面上に表示する送受信記録表示手段を備えたことを特徴とする請求項６記載の画像記録装置。
【請求項８】
放送予定番組を受信する受信手段と、
前記受信した放送予定番組の録画を予約する予約手段とを備え、
前記記録画像表示手段は、
前記放送時刻を前記表示された時間帯の時刻に揃えるように、前記放送予定番組の予約情報を前記画面上に表示する放送予定番組表示手段を備えたことを特徴とする請求項７記載の画像記録装置。
【請求項９】
前記番組の情報、前記入力した画像の情報、前記スケジュール情報、前記通話記録、前記送受信記録および前記放送予定番組の予約情報は、前記時間帯とともに整列して表示されることを特徴とする請求項８記載の画像記録装置。
【請求項１０】
外部装置が接続される接続手段を備え、
前記画像入力手段は、前記接続された外部装置から転送される画像を入力し、
前記記録画像表示手段は、前記入力された画像に付加された時刻情報を基に、前記表示された時間帯に沿って、前記入力された画像の情報を一列に表示することを特徴とする請求項３記載の画像記録装置。
【請求項１１】
前記接続された外部装置を識別する識別手段を備え、
前記記録画像表示手段は、前記識別の結果、前記接続された外部装置から転送された画像が既に記録されていた場合、新たに転送される画像を、前記記録された画像と同じ列に追加して表示することを特徴とする請求項１０記載の画像記録装置。
【請求項１２】
前記入力画像表示手段は、前記入力された画像の縮小画像を表示することを特徴とする請求項３記載の画像記録装置。
【請求項１３】
前記入力画像表示手段は、前記入力された画像の情報として、静止画の個数および動画の個数を表示することを特徴とする請求項３記載の画像記録装置。
【請求項１４】
画面上の所定位置を指示する操作手段を備え、
前記入力画像表示手段は、前記操作手段によって前記表示された静止画の個数あるいは動画の個数が指示された場合、該指示された画像の少なくとも１つを縮小画像として表示することを特徴とする請求項１３記載の画像記録装置。
【請求項１５】
画面上の所定位置を指示する操作手段を備え、
前記入力画像表示手段は、前記操作手段によって前記表示された時間帯の時刻が指示された場合、該指示された時刻近傍の時刻情報が付加された画像の縮小画像を表示することを特徴とする請求項３記載の画像記録装置。
【請求項１６】
前記放送予定番組の録画を予約する予約情報と前記スケジュール情報とを比較し、これらの時間帯が重なっている場合、前記記録画像表示手段は、前記表示される放送予定番組に、前記時間帯の重なりを識別可能に表示することを特徴とする請求項８記載の画像記録装置。
【請求項１７】
前記入力された画像を印刷する印刷手段を備え、
前記入力された画像が印刷された場合、前記入力画像表示手段は、前記入力された画像の情報を表示する際、同時に印刷済みである旨を表示することを特徴とする請求項３記載の画像記録装置。
【請求項１８】
複数の異なる画像取得手段から取得した画像をそれぞれ記録する画像記録ステップと、
画面上に、時刻が刻まれた時間帯を表示する時間帯表示ステップと、
前記取得した画像に関わる時刻を前記表示された時間帯の時刻に揃えるように、前記記録された画像の情報を前記画像取得手段毎に前記画面上に表示する記録画像表示ステップとを有する記録画像表示方法。
【請求項１９】
画像記録装置に内蔵されたＣＰＵによって実行されるプログラムであって、
複数の異なる画像取得手段から取得した画像をそれぞれ記録する画像記録ステップと、
画面上に、時刻が刻まれた時間帯を表示する時間帯表示ステップと、
前記取得した画像に関わる時刻を前記表示された時間帯の時刻に揃えるように、前記記録された画像の情報を前記画像取得手段毎に前記画面上に表示する記録画像表示ステップとを含むことを特徴とするプログラム。
【発明の詳細な説明】
【技術分野】
【０００１】
本発明は、複数の画像を記録する画像記録装置、記録画像表示方法およびプログラムに関する。
【背景技術】
【０００２】
従来、画像記録装置として、家庭でテレビ（ＴＶ）放送を録画する録画装置が知られている。このような録画装置は、テープ媒体を使用するものから、大容量ハードディスクを使用するものに移行しつつある（例えば、特許文献１参照）。この録画装置は、テレビ放送を受信するだけでなく、内蔵されたハードディスクにデジタルカメラやデジタルビデオカメラで撮影された画像を記録（ストック）することが可能である。また、この録画装置は、インターネットに接続することで、ＴＶ放送番組表を取得することができ、ユーザは、取得されたＴＶ放送番組表を用いて、簡単にＴＶ番組の録画予約を行うことができる。また、デジタルカメラやビデオカメラで撮影され、記録された画像を閲覧することも可能である。
【特許文献１】特開平１０−２２８６８７号公報
【発明の開示】
【発明が解決しようとする課題】
【０００３】
しかしながら、上記従来の画像記録装置には、以下に掲げる問題があった。すなわち、複数の機種からなる撮像装置（デジタルカメラやデジタルビデオカメラなど）で撮影・記録されたオリジナルコンテンツ画像や、ＴＶ放送を録画した画像を、時間帯に関連付けて同時に閲覧することができなかった。このため、複数の機種からなる撮像装置で撮影された複数毎の画像の時間関係や、ＴＶ放送を録画した画像の時間関係を相互に把握することができなかった。
【０００４】
また、自分の過去の行動、将来予定の行動、時事などと関連付けて閲覧することもできなかった。このため、将来予定されている行動と、自分が観賞したい番組との時間関係を把握できず、自分が見たい番組を見逃したり、一度録画して見た番組であるにもかからわず、もう一度録画してしまうことがあった。また、印刷した画像の記録が残っていないので、一度印刷した画像であるにもかかわらず、再度印刷してしまうことがあった。
【０００５】
そこで、本発明は、複数の異なる画像取得手段から取得した画像、例えば、複数の機種からなる撮像装置で撮影された画像やＴＶ放送を録画した画像などの時間関係を容易に把握できる画像記録装置、記録画像表示方法およびプログラムを提供することを目的とする。また、本発明は、ユーザの行動も一括管理することで、記録された画像を閲覧する際、ユーザの行動と記録された画像との時間関係を把握できる画像記録装置、記録画像表示方法およびプログラムを提供することを他の目的とする。
【課題を解決するための手段】
【０００６】
上記目的を達成するために、本発明の画像記録装置は、複数の異なる画像取得手段から取得した画像をそれぞれ記録する画像記録手段と、画面上に、時刻が刻まれた時間帯を表示する時間帯表示手段と、前記取得した画像に関わる時刻を前記表示された時間帯の時刻に揃えるように、前記記録された画像の情報を前記画像取得手段毎に前記画面上に表示する記録画像表示手段とを備える。
【０００７】
本発明の記録画像表示方法は、複数の異なる画像取得手段から取得した画像をそれぞれ記録する画像記録ステップと、画面上に、時刻が刻まれた時間帯を表示する時間帯表示ステップと、前記取得した画像に関わる時刻を前記表示された時間帯の時刻に揃えるように、前記記録された画像の情報を前記画像取得手段毎に前記画面上に表示する記録画像表示ステップとを有する。
【０００８】
本発明のプログラムは、画像記録装置に内蔵されたＣＰＵによって実行されるプログラムであって、複数の異なる画像取得手段から取得した画像をそれぞれ記録する画像記録ステップと、画面上に、時刻が刻まれた時間帯を表示する時間帯表示ステップと、前記取得した画像に関わる時刻を前記表示された時間帯の時刻に揃えるように、前記記録された画像の情報を前記画像取得手段毎に前記画面上に表示する記録画像表示ステップとを含むことを特徴とする。
【発明の効果】
【０００９】
本発明の請求項１に係る画像記録装置によれば、複数の異なる画像取得手段から取得した画像をそれぞれ記録し、画面上に、時刻が刻まれた時間帯を表示し、前記取得した画像に関わる時刻を前記表示された時間帯の時刻に揃えるように、前記記録された画像の情報を前記画像取得手段毎に前記画面上に表示するので、複数の異なる画像取得手段から取得した画像、例えば、複数の機種からなる撮像装置で撮影された画像やＴＶ放送を録画した画像などの時間関係を容易に把握できる。
【００１０】
また、請求項３に係る画像記録装置によれば、複数機種による撮影画像とＴＶ放送の録た画像との時間関係を相互に把握できる。請求項４に係る画像記録装置によれば、ユーザの行動も一括管理することで、記録された画像を閲覧する際、ユーザの行動と記録された画像との関係を把握できる。これにより、重複した録画を防止できる。請求項６、７に係る画像記録装置によれば、電話による通話記録やメールの送受信記録の時間関係も併せて把握することができる。請求項１２に係る画像記録装置によれば、縮小画像を表示することで、記録媒体に記録されている大量の画像データの中から、所望の画像を探し出すことが容易になる。請求項１３に係る画像記録装置によれば、特定の時間帯に撮影された画像（静止画、動画）がどのくらいあるのかを容易に知ることができる。請求項１６に係る画像記録装置によれば、録画予約操作を確実に行うことができる。請求項１７に係る画像記録装置によれば、重複した無駄な印刷を防止できる。
【発明を実施するための最良の形態】
【００１１】
本発明の画像記録装置、記録画像表示方法およびプログラムの実施の形態について、図面を参照しながら説明する。
【００１２】
［全体構成］
図１は実施の形態における画像記録装置の構成を示すブロック図である。この画像記録装置は、ＣＰＵ１、メモリ（ＭＥＭＯＲＹ）２、ＣＲＴ表示部（ＤＩＳＰＬＡＹ）３、印刷部（ＰＲＩＮＴＥＲ）４、時計部（ＲＴＣ）５、ハードディスク（ＨＤ）６、テレビ放送受信部（ＴＵＮＥＲ）７、光磁気ディスク記録部（ＤＶＤ／ＲＷ）８、電話部（ＰＨＯＮＥ）９、ＵＳＢインターフェイス（Ｉ／Ｆ）１０、ＩＥＥＥ１３９４インターフェイス（Ｉ／Ｆ）１１およびマウス（ＭＯＵＳＥ）１５がバス１６を介して接続された構成を有する。
【００１３】
ＣＰＵ１は、画像記録装置の全体の動作を制御するものであり、データバス１６に接続された各部とデータ交換を行い、各部を制御する。メモリ２はＤＲＡＭからなり、ＣＰＵ１は、このメモリ空間を利用し、演算制御、プログラム実行、画像処理等を行う。ＣＲＴ表示部３は、ビデオＲＡＭを内蔵しており、ＣＰＵ１から転送される画像データを基に、画像やユーザーインターフェイスを表示する。印刷部４は、ＣＰＵ１からの指示にしたがって、画像データを印刷する。
【００１４】
時計部５は、現在時刻を計時し、電池でバックアップされているので、画像記録装置の主電源の供給が停止しても現在時刻を保持する。ＣＰＵ１は、時計部５から現在時刻を取得し、予めユーザによって指定された時刻に達すると、テレビ放送受信部７で受信したＴＶ放送画像をハードディスク６に録画する。ハードディスク６は、大容量の記録媒体を有し、ここでは、主に画像データの記録に使用される。また、ハードディスク６には、ＣＰＵ１によって実行される制御プログラムも格納されている。
【００１５】
テレビ放送受信部７は、電波あるいはケーブルを通じて公共放送を受信可能である。テレビ放送受信部７から出力されるデジタル画像データは、ＣＰＵ１からの指示にしたがって、ハードディスク６に保存されたり、ＣＲＴ表示部３に表示される。光磁気ディスク記録部８は、読み書き可能な大容量の記録媒体を有する。ＣＰＵ１は、ユーザからの指示にしたがって、ハードディスク６に保存されている画像データを、光磁気ディスク記録部８に転送してバックアップ保存することができる。
【００１６】
電話部９は、ＣＰＵ１によるインターネット等の外部ネットワークへのアクセスに使用される。ＣＰＵ１は、電話部（ＰＨＯＮＥ）９による電話回線を通じて、インターネットに接続可能であり、インターネットからテレビ番組表をダウンロードし、ハードディスク（ＨＤ）６に記録する。また、ユーザは、電話部９を直接使用することも可能である。この場合、ＣＰＵ１により、通話時間、通話先および受信先が記録される。また、電話部６を留守番電話として機能させることも可能である。
【００１７】
ＵＳＢインターフェース１０には、外部装置が接続される。また、ハードディスク（ＨＤ）６に格納されている制御プログラムは、必要に応じて、ＵＳＢインターフェース１０を通じて更新される。本実施形態では、ＵＳＢインターフェース１０には、外部装置としてデジタルカメラ１３が接続され、デジタルカメラ１３で撮影・記録された静止画／動画をハードディスク６に転送することが可能である。また、外部装置として携帯情報端末（ＰＤＡ）１２が接続される。ＰＤＡ１２は小型の液晶表示部を有しており、主にユーザのスケジュール管理に使用される。また、ＵＳＢインターフェース１０を介して、ＰＤＡ１２を画像記録装置に接続することで、ＰＤＡ１２に記録されているスケジュールデータを、画像記録装置側に転送することが可能である。また、ＩＥＥＥ１３９４インターフェース１１には、外部装置が接続される。本実施形態では、ＩＥＥＥ１３９４インターフェース１１には、ビデオカメラ１４が接続され、ビデオカメラ１４で撮影・記録された動画をハードディスク６に転送することが可能である。
【００１８】
マウス１５は、マウスタイプのユーザインターフェイスである。ユーザによるマウス操作によって、ＣＲＴ表示部３上のポインタが移動し、任意の場所でクリック操作されると、その指示がＣＰＵ１に伝達される。本実施形態では、ユーザがマウス１５を操作することで、ハードディスク６に内蔵された各種アプリケーションを実行可能である。本実施形態の画像記録装置には、メールアプリケーションが内蔵されており、ユーザによるマウス操作によってメールの送受信を行うことができる。また、必要に応じて、オプションでＵＳＢインターフェース１０にキーボードを接続し、文字入力を行うことも可能である。
【００１９】
［表示画面］
図２は画像記録装置のＣＲＴ表示部３に表示された記録管理画面を示す図である。この記録管理画面では、時間帯に合わせた種々の記録内容が複数の列で表現されており、ここでは各列を「メディアタイムバー」と称することにする。
【００２０】
図中、３１は時間帯である。図２では、時間帯３１には、１７：００〜１９：００までの時間帯が示されている。３８は現在時刻を示す三角マーカである。現在時刻は時計部（ＲＴＣ）５によって常に更新され、現在時刻が画面中央部に位置するように、ＣＰＵ１によって時間帯３１の表示はスクロールアップされる。
【００２１】
また、時間帯３１と並列に、ハードディスク（ＨＤ）６に記録されているデジタルカメラ１３やビデオカメラ１４の記録画像、およびＴＶ放送番組表（録画情報、予約情報を含む）がそれぞれメディアタイムバーとして表示される。また、スケジュール情報、電話の通話記録、メールの送受信記録なども、メディアタイムバーとして表示される。
【００２２】
３２は撮影画像が表示されるメディアタイムバーである。このメディアタイムバー３２には、ユーザがデジタルカメラ１３を使用して撮影された画像３９、４０の縮小画像（サムネイル画像）が時系列に表示されている。この縮小画像の表示を行う際、ＣＰＵ１は、ハードディスク（ＨＤ）６に保存されている画像データからタイムスタンプを読み出し、時間帯３１の対応した位置に画像データを表示するように、その表示領域を設定する。また、ハードディスク（ＨＤ）６には、ここでは、画像３９、４０以外に５枚の静止画、０枚の動画が記録されており、ＣＰＵ１は、これらの縮小画像を時間帯３１の対応した位置になるべく表示するようにするが、表示領域には限度があるので、表示できない画像についてはそのデータ個数を表示する。ここでは、「Ｐ５」として、表示されていない静止画が５枚あることが示される。また、「Ｍ０」として、表示されていない動画が０枚であることが示される。
【００２３】
また、ユーザは、マウス１５を操作してポインタ４３を移動させ、アップボタン４４あるいはダウンボタン４５上でクリックすることにより、表示される時間帯を上下に移動（スクロール）させる操作をＣＰＵ１に指示することが可能である。また、ユーザがポインタ４３で特定のメディアタイムバーをクリックすると、ＣＰＵ１は、クリックされた時間帯の位置に最も近い記録開始時刻を有する画像を少なくとも１つ、縮小画像として予め決められた画面位置（表示領域）に再生して表示する。尚、このとき、ポインタ４３をクリックする代わりに、ポインタ４３を所定時間静止させることで、指示してもよい。
【００２４】
［表示動作］
上記構成を有する画像記録装置の表示動作を示す。図３は図２の記録管理画面を表示するための表示処理手順を示すフローチャートである。この処理プログラムは、画像記録装置内のハードディスク（ＨＤ）６に格納されており、ユーザから操作が指示されると、ＣＰＵ１によって実行される。
【００２５】
まず、時計部（ＲＴＣ）５から現在時刻を取得する（ステップＳ１）。取得した現在時刻を基に、ＣＲＴ表示部３の画面上に時間帯３１を表示する（ステップＳ２）。このとき、前述したように、時間帯３１は、画面中央部の三角マーク３８によって示される位置に現在時刻が来るように、表示される。
【００２６】
この表示された時間帯３１内に撮影開始時刻を有する画像、つまりデジタルカメラ１３あるいはビデオカメラ１４によって撮影され、ハードディスク（ＨＤ）６に記憶された画像データを取得する（ステップＳ３）。取得した画像データの縮小画像（サムネイル画像）を作成し、その撮影開始時刻が時間帯３１の対応する位置になるように、作成された縮小画像をメディアタイムバー内に表示する処理を行う（ステップＳ４）。つまり、デジタルカメラ１３で撮影された画像データ（静止画、動画）の縮小画像をメディアタイムバー３２内に貼り付けて表示し、ビデオカメラ１４で撮影された画像データ（動画、静止画）の縮小画像をメディアタイムバー３３内に貼り付けて表示する。このとき、前述したように、同一の時間位置に複数の縮小画像が集中して貼り付けることが困難である場合、少なくとも１つの縮小画像を貼り付け、残りの画像については、その個数を表示する（図２の「Ｐ５」、「Ｍ０」参照）。また、表示される縮小画像が既に印刷済みである場合、その旨を示す「Ｐ」マークを同時に表示する。
【００２７】
また、予め受信してハードディスク６に記憶されている放送番組表から、現在表示されている時間帯の放送予定番組、録画情報および予約情報をハードディスク（ＨＤ）６から取得し（ステップＳ５）、これらの情報をチャンネル毎（図２では、チャンネル１、チャンネル６）のメディアタイムバー３４、３５内に表示する処理を行う（ステップＳ６）。この表示処理の詳細については後述する。
【００２８】
また、ＰＤＡ１２から転送され、ハードディスク６に記憶されているユーザのスケジュール情報を読み出し（ステップＳ７）、読み出したスケジュール情報をメディアタイムバー３６内に表示する処理を行う（ステップＳ８）。この表示処理の詳細については後述する。また、電話部９の通話記録およびメールの送受信記録（通信記録）をハードディスク６から読み出し（ステップＳ９）、読み出した通話記録および通信記録をメディアタイムバー３７内に表示する処理を行う（ステップＳ１０）。この表示処理の詳細については後述する。この後、本処理を終了する。
【００２９】
つぎに、画像記録装置にデジタルカメラ１３あるいはビデオカメラ１４が接続され、これらに記録された画像がそれぞれメディアタイムバー３２、３３に追加表示される場合を示す。図４はデジタルカメラ１３あるいはビデオカメラ１４が画像記録装置に接続された場合の追加表示処理手順を示すフローチャートである。この処理プログラムは、画像記録装置内のハードディスク（ＨＤ）６に格納されており、ＣＰＵ１によって実行される。
【００３０】
まず、画像記録装置にデジタルカメラ１３あるいはビデオカメラ１４（以下、外部装置という）が接続されたか否かを判別する（ステップＳ２１）。外部装置が接続された場合、ＣＰＵ１は、ＵＳＢインターフェース（Ｉ／Ｆ）１０あるいはＩＥＥＥ１３９４インターフェース（Ｉ／Ｆ）１１を通じて、接続された外部装置と通信を行い、接続された外部装置の個体番号を取得する（ステップＳ２２）。ここで、ハードディスク（ＨＤ）６には、以前、この外部装置が接続され、かつその記録画像が残っている場合、この外部装置の記録（個体番号を含む）が保存されている。
【００３１】
ＣＰＵ１は、ステップＳ２２で取得した外部装置の個体番号を基に、保存されている外部装置の記録を検索し（ステップＳ２３）、取得した個体番号があるか否かを確認する（ステップＳ２４）。個体番号がある場合、つまりこの外部装置が過去に接続されており、この外部装置によって撮影された画像が残っている場合、ＣＰＵ１は、外部装置（デジタルカメラ１３あるいはビデオカメラ１４）からハードディスク（ＨＤ）６に画像データを転送する指示を行う（ステップＳ２５）。この指示に従って、転送された画像データに付加されているタイムスタンプを基に、この画像が画面上に表示されている時間帯３１内のものであるか否かを判別する（ステップＳ２６）。時間帯３１内のものである場合、対応するメディアタイムバー内の所定の領域（撮影開始時刻を基準とする領域）に画像を追加・表示し（ステップＳ２７）、本処理を終了する。こうして外部装置から転送された画像データは、対応するメディアタイムバー内に表示される。一方、ステップＳ２６で時間帯３１内のものでない場合、そのまま本処理を終了する。
【００３２】
一方、ステップＳ２４で個体番号が無い場合、つまりハードディスク（ＨＤ）６に、外部装置の接続が記録されていない場合、ＣＰＵ１は、新しいメディアタイムバーを作成し（ステップＳ２８）、接続された外部装置とメディアタイムバーとを対応付けた後、ステップＳ２５に移行し、前述した処理を行う。これにより、記録管理画面（図２参照）には、新しいメディアタイムバーが表示される。このように、画像記録装置は、接続された特定の外部装置と特定のメディアタイムバーを対応して取り扱うことができる。
【００３３】
また、ＴＶ放送のチャンネル１、６にそれぞれ対応するメディアタイムバー３４、３５を表示する動作（ステップＳ６参照）では、ユーザが過去にチャンネル１、６の番組を録画した記録がハードディスク（ＨＤ）６に残っている場合、ＣＰＵ１はそれぞれに対応するメディアタイムバー３４、３５を表示する。また、ＣＰＵ１は、ハードディスク（ＨＤ）６に記録された放送番組表から、表示された時間帯３１内の放送番組を、メディアタイムバー３４、３５内の対応する時間帯３１の位置に表示する。
【００３４】
このとき、現在時刻を示す三角マーカ３８より上側には、過去に放送された放送番組が表示される。一方、三角マーカ３８より下側には、現在またはこれからの放送予定番組が表示される。また、ハードディスク（ＨＤ）６には、メディアタイムバーに対応する番組表が常に記録されており、ユーザがマウス（ＭＯＵＳＥ）１５を操作してポインタ４３を移動させ、アップボタン４４あるいはダウンボタン４５上でクリックすると、時間帯３１のスクロールが行われる。ここで、アップボタン４４がクリックされると、表示される時間帯は過去へとスクロールされ、ダウンボタン４５がクリックされると、表示される時間帯は未来へとスクロールされる。また、三角マーカ３８がクリックされると、現在時刻が中央部に位置する通常の表示モードに復帰する。
【００３５】
また、チャンネル１のメディアタイムバー３４には、１７：００〜１７：５０まで放送された番組「ＮＥＷＳ  Ｗｅａｔｈｅｒ  Ｒｅｐｏｒｔ」、１８：００〜１９：００まで放送される予定の番組「Ｊａｐａｎｅｓｅ  Ｍｏｖｉｅｓ」、１９：００から放映される予定の番組「Ｓｐｅｃｉａｌ  Ｐｒｏｇｒａｍ」の番組表が表示されている。
【００３６】
ユーザは、ＣＰＵ１に対し、予め録画予約を指示することができる。ＣＰＵ１は、ユーザによって指示された時間帯で、テレビ放送受信部（ＴＵＮＥＲ）７から受信したＴＶ放送をハードディスク（ＨＤ）６に録画する。図２では、予約された録画時間帯は領域４６である。ＣＰＵ１は、予め決められた色で領域４６を塗りつぶす処理を行い、ＣＲＴ表示部３に表示する。これにより、ユーザは、録画予約されている時間帯と対象となるＴＶ放送番組を容易に知ることができる。また、後述するメディアタイムバー３６を参照すると、ユーザは１８：００からチャンネル１を見ながら同時に録画を行っていることがわかる。また、ＣＰＵ１は、現在録画を行っているチャンネルのメディアタイムバーが表示されている場合、そのメディアタイムバーに予め決められた色で横棒４９を表示する処理を行う。
【００３７】
また、録画予定の番組の他、既に録画した番組に対応する時間帯を、予め決められた色で塗りつぶして表示する処理を行う。例えば、領域４６のうち、領域４６ａは既に録画された部分であり、領域４６ｂはこれから録画される予定の部分である。また、既に録画が終了した部分を表示する場合、ＣＰＵ１は、予め決められた色で塗りつぶして表示する処理を行うと共に、使用されたハードディスク（ＨＤ）６の容量と録画時間を合わせて表示する処理を行う。例えば、過去にチャンネル６で放映された５０分の番組「ＭＵＳＩＣ  ＬＩＶＥ！」では、その領域５０に３ＧＢのＨＤ容量を使用したことが表示されている。
【００３８】
また、ユーザのスケジュール情報をメディアタイムバー３６内に表示する動作では（ステップＳ８参照）、このメディアタイムバー３６に、ユーザがこの画像記録装置を使用した記録（ログ）や行動予定（プラン）などのスケジュール情報が表示される。ユーザはＵＳＢインターフェース（Ｉ／Ｆ）１０にＰＤＡ１２を接続すると、ＣＰＵ１は、ＰＤＡ１２に記録されたスケジュール情報をハードディスク（ＨＤ）６に転送した後、ＣＲＴ表示部（ＤＩＳＰＬＡＹ）３の記録管理画面に表示する処理を行う。本実施形態では、ユーザは、１７：００から散歩を予定しており、その後、チャンネル１を見ることを予定している。さらに、１９：１５〜１９：４０まで食事をすることを予定している。
【００３９】
また、ＣＰＵ１は、ユーザがデジタルカメラ１３あるいはビデオカメラ１４を画像記録装置に接続した時刻をメディアタイムバー３６内に表示する処理を行う。図２の領域５１の表示は、対応する時刻にユーザがビデオカメラ１４を接続したことを示し、領域５２の表示は、対応する時刻にユーザがデジタルカメラ１３を接続したことを示す。
【００４０】
また、この画像記録装置は、番組を録画しながら再生操作可能である。ユーザは、現在時刻で、チャンネル１のＴＶ放送番組を観賞しているが、現在放映中の番組（領域４６参照）は夕食（領域５３参照）の予定と重なっている。ＣＰＵ１は、ユーザのスケジュールと現在録画中の番組とが重複していると判断し、重複部分を画面縦方向の矢印５５で表示する。さらに、ユーザがスケジュール終了（夕食）後に番組を見るとした場合、録画を行いながら再生を行うと、何時に番組を見終わるかの予想時刻５４（ここでは、「１９：４０」）を表示する処理を行う。
【００４１】
また、メールの送受信記録および電話の通話記録をメディアタイムバー３７内に表示する動作では（ステップＳ１０参照）、メディアタイムバー３７内に、ユーザが使用した電話の通話記録およびメールの送受信記録（通信記録）が表示される。ＣＰＵ１は、電話の通話記録およびメールの送受信記録をハードディスク（ＨＤ）６に常に保存している。また、ＣＰＵ１は、ユーザによって予め記録された電話番号簿をハードディスク６に記録することができ、電話番号に対応する相手先の名前でメディアタイムバー３７内に通信記録および通話記録を表示する。また、ＣＰＵ１は、メールが未読／既読である情報もハードディスク（ＨＤ）６に保持しており、必要に応じて表示する。ここでは、ユーザが「１７：１０」にＪｏｈｎに電話したこと、「１７：４５」にｋｅｎからのメールを受け取ったことが示されている。また、図中、［Ｕ］の表示はメールが未読であることを示す。
【００４２】
このように、本実施形態の画像記録装置によれば、記録管理画面には、時間帯３１に沿って、デジタルカメラ１３で撮影された画像の一覧が表示されるメディアタイムバー３２、ビデオカメラ１４で撮影された画像の一覧が表示されるメディアタイムバー３３、チャンネル毎にＴＶ放送番組が表示されるメディアタイムバー３４、３５、ユーザのスケジュール情報が表示されるメディアタイムバー３６、および通話／通信記録が表示されるメディアタイムバー３７が並列に表示されるので、デジタルカメラ１３、ビデオカメラ１４で撮影された画像、ＴＶ放送を録画した画像などの時間関係を容易に把握できる。また、ユーザの行動も一括管理することで、記録された画像を閲覧する際、ユーザの行動と記録された画像との関係を把握できる。これにより、重複した録画を防止できる。
【００４３】
また、ＣＰＵ１は、ユーザからの指示にしたがって、ハードディスク６に保存されている画像データを印刷部４に印刷させることが可能である。ハードディスク６には、印刷を終了した画像のファイルネームが保持されており、ＣＰＵ１は、メディアタイムバーに縮小画像を表示する際、その画像が既に印刷済みであると、「Ｐ」というマーク５８を縮小画像と同時にメディアタイムバー３２に表示する。これにより、ユーザが既に印刷済みの画像を誤って再度印刷してしまうという無駄を無くすことができる。
【００４４】
さらに、本実施形態の効果を列挙すると、ユーザが保持する複数機種による画像データとＴＶ放送の録画画像との時間関係を相互に把握できる。また、複数機種による画像データとユーザの行動との相互の時間関係を容易に把握できる。また、ユーザが保持する複数機種による画像データ、放送予定番組、録画済み番組、放送済み番組およびユーザの行動間で、相互の時間関係を容易に把握できる。また、縮小画像を表示することで、ハードディスクに記憶されている大量の画像データの中から、所望の画像を探し出すことが容易になる。また、特定の時間帯に撮影された画像（静止画、動画）がどのくらいあるのかを容易に知ることができる。また、録画予約操作を確実に行うことができる。また、無駄な印刷を防止できる。また、ＰＤＡからスケージュル情報を転送することで、スケジュールの管理と更新を容易に行うことができる。
【００４５】
以上が本発明の実施形態の説明であるが、本発明は、これら実施形態の構成に限られるものではなく、特許請求の範囲で示した機能、または実施形態の構成が持つ機能が達成できる構成であればどのようなものであっても適用可能である。
【００４６】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００４７】
この場合、記憶媒体から読み出されたプログラムコード自体が前述した実施形態の機能を実現することになり、そのプログラムコードを記憶した記憶媒体は本発明を構成することになる。
【００４８】
又、プログラムコードを供給するための記憶媒体としては、例えば、ＲＯＭ、フロッピー（登録商標）ディスク、ＰＣＭＣＩＡカードやコンパクトフラッシュ（登録商標）等のメモリカード、ハードディスク、マイクロＤＡＴ、光磁気ディスク、ＣＤ−ＲやＣＤ−ＲＷ等の光ディスク、ＤＶＤ等の相変化型光ディスク等で構成されてもよい。
【００４９】
また、コンピュータが読み出したプログラムコードを実行することにより、上記実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００５１】
【図１】実施の形態における画像記録装置の構成を示すブロック図である。
【図２】画像記録装置のＣＲＴ表示部３に表示された記録管理画面を示す図である。
【図３】図２の記録管理画面を表示するための表示処理手順を示すフローチャートである。
【図４】デジタルカメラ１３あるいはビデオカメラ１４が画像記録装置に接続された場合の追加表示処理手順を示すフローチャートである。
【符号の説明】
【００５２】
１  ＣＰＵ
３  ＣＲＴ表示部（ＤＩＳＰＬＡＹ）
５  時計部（ＲＴＣ）
６  ハードディスク（ＨＤ）
７  ＴＶ放送受信部（ＴＵＮＥＲ）
９  電話部（ＰＨＯＮＥ）
１２  携帯情報端末（ＰＤＡ）
１３  デジタルカメラ（ＤＩＧＩＴＡＬ  ＣＡＭＥＲＡ）
１４  ビデオカメラ（ＤＶＣ）
３１  時間帯
３２〜３７  メディアタイムバー
４３  ポインタ
【図１】
2005176134.tif 000003
【図２】
2005176134.tif 000004
【図３】
2005176134.tif 000005
【図４】
2005176134.tif 000006